(57)【要約】【課題】再封後の密封性が高く、蓋の開閉でのロック機構の係合、解除の抵抗が少なく容易に行え、また、係合部分の磨耗が少なく長期に安定した係合が得られる開閉蓋と、それを用いた包装容器と、包装体を提供する。【解決手段】外蓋１と内蓋２がヒンジ３を介して一体に形成されてなる開閉蓋であって、外蓋の側端部にロック部４と、内蓋の側端部にロック部を係合するロック受け部７がそれぞれ形成され、外蓋の下面にインナーリング１１、内蓋の上面にインナーリングと嵌合するインナーリング受け部１２がそれぞれ形成され、インナーリング受け部の内側に開口部１３が設けられ、ロック部は、縦断面が湾曲した湾曲部５と、湾曲部に延設された指掛部６を有し、ロック受け部には、係合用突起８が設けられ、係合用突起が湾曲部に嵌まり込んで係合する。【選択図】図１
2014114057.tif 000002
【特許請求の範囲】
【請求項１】
外蓋と内蓋がヒンジを介して一体に形成されてなる開閉蓋であって、
前記外蓋の側端部にロック部と、前記内蓋の側端部に前記ロック部を係合するロック受け部がそれぞれ形成され、前記外蓋の下面にインナーリング、前記内蓋の上面に前記インナーリングと嵌合するインナーリング受け部がそれぞれ形成され、該インナーリング受け部の内側に開口部が設けられ、前記ロック部は、縦断面が湾曲した湾曲部と、湾曲部に延設された指掛部を有し、前記ロック受け部には、係合用突起が設けられ、該係合用突起が前記湾曲部に嵌まり込んで係合することを特徴とする開閉蓋。
【請求項２】
請求項１に記載の開閉蓋の前記開口部が、包装袋の一面に設けられた内容物の取出口と重なるように、前記内蓋の下面と前記包装袋の一面が、接着剤を介して接着していることを特徴とする包装容器。
【請求項３】
請求項２に記載の包装袋に濡らした薄紙あるいは不織布の集積体が包装されていることを特徴とする包装体。
【発明の詳細な説明】
【技術分野】
【０００１】
本発明は、開閉蓋およびそれを用いた包装容器と包装体に関するものである。
【背景技術】
【０００２】
手や顔を拭く濡れおしぼりの代わりや、乳幼児のお尻拭きに、あるいは、便座や床を拭くのに、濡らした薄紙や不織布（以後、ウェットティッシュ）が、使用されるようになってきた。これらは用途によって、色々な薬剤、例えばアルコールや保湿剤、洗浄剤などの水溶液が含浸され水分を含んだ状態である。
【０００３】
このウェットティッシュは、１枚ずつ取り出せるように交互等に重ねられて集積され、包装されており、繰り返し容器包装を開閉し取り出しても、残ったウェットティッシュが乾かない様に、再封後の密封性が高い容器包装により包装されている。
【０００４】
その一例として、包装袋本体の一面に内容品を取出すことのできる取出口を形成すると共に、この取出口を覆って裏面に接着剤層を形成したシート状外蓋を剥離可能に接着してなる包装袋がある（特許文献１）。
【０００５】
この包装袋は、外出したときに携帯するのには便利であるが、再封するときに、蓋材をシワがないように袋の取出口に貼るのは手間がかかり、家庭などに置いておいて使用する場合は面倒である。
【０００６】
そのため、家庭などで使用する場合には、プラスチックなどで成形された容器本体に蓋を取り付けて、開閉が容易で、再封するときも密封性のよい容器に前記包装袋を収納する形で使用されている。例えば、容器本体と、容器本体の開口部に装着する蓋本体と、小蓋とからなり、蓋本体の取出し口を小蓋で封止するときは、閉じた小蓋をロック機構で係止して蓋本体の取出し口を封止する容器がある。
【０００７】
このような容器のロック機構としては、横方向に伸びる蓋本体の係止突起と横方向に伸びる小蓋の係止突起とから構成され、蓋本体の係止突起と小蓋の係止突起とが互いに乗り越えて係止するものである（特許文献２）。
【０００８】
また、容器本体を包装袋として、包装袋に開閉自在の蓋体を取り付けるようにしたものがある。この例としては、包装袋の上面に設けられた取出口を密封するフィルムラベル状の蓋２２を、外方から囲繞する開口部が形成された環状の枠体と、枠体の表面側から開口部を閉塞する蓋部材とを有し、枠体の裏面には、枠体１を包装袋の上面に固定する接着部材が設けられている蓋体がある（特許文献３)。
【０００９】
この蓋体のロック機構は、枠体に外方に突出する係止部が形成され、蓋部材に設けられた内方に突出する係止片部が前記係止部に係合するようになっている。
公知文献を以下に示す。
【先行技術文献】
【特許文献】
【００１０】
【特許文献１】特開昭６３−３３２８０号公報
【特許文献２】特開２００１−９７４２１号公報
【特許文献３】特開２０１１−２５９８０号公報
【発明の概要】
【発明が解決しようとする課題】
【００１１】
特許文献１および２に記載されたロック機構では、横長に突出した突起が、互いに乗り越えることによって、ロックするようになっている。そのため、蓋を開くときに抵抗が大きく、本体側を手で押さえて、他方の手で蓋を開けなければならない。また、係合する部分が磨耗しやすく、長期にわたって繰り返し使用すると係合する強度の安定性が乏しい、などの問題もある。
【００１２】
本発明は、再封後の密封性が高く、蓋の開閉でのロック機構の係合、解除の抵抗が少なく容易に行え、また、係合部分の磨耗が少なく長期に安定した係合が得られる開閉蓋と、それを用いた包装容器と、包装体を提供することを課題とする。
【課題を解決するための手段】
【００１３】
本発明は係る課題に鑑みなされたものであり、請求項１の発明は、外蓋と内蓋がヒンジを介して一体に形成されてなる開閉蓋であって、
前記外蓋の側端部にロック部と、前記内蓋の側端部に前記ロック部を係合するロック受け部がそれぞれ形成され、前記外蓋の下面にインナーリング、前記内蓋の上面に前記インナーリングと嵌合するインナーリング受け部がそれぞれ形成され、該インナーリング受け部の内側に開口部が設けられ、前記ロック部は、縦断面が湾曲した湾曲部と、湾曲部に延設された指掛部を有し、前記ロック受け部には、係合用突起が設けられ、該係合用突起が前記湾曲部に嵌まり込んで係合することを特徴とする開閉蓋である。
【００１４】
本発明の請求項２の発明は、請求項１に記載の開閉蓋の前記開口部が、包装袋の一面に設けられた内容物の取出口と重なるように、前記内蓋の下面と前記包装袋の一面が、接着剤を介して接着していることを特徴とする包装容器である。
【００１５】
本発明の請求項３の発明は、請求項２に記載の包装袋に濡らした薄紙あるいは不織布の集積体が包装されていることを特徴とする包装体である。
【発明の効果】
【００１６】
本発明の開封蓋と、それを用いた包装容器と、その包装体は、再封後の密封性が高く、蓋の開閉でのロック機構の係合、解除の抵抗が少なく容易に行え、また、係合部分の磨耗が少なく長期に安定した係合が得られる。
【図面の簡単な説明】
【００１７】
【図１】（Ａ）本発明の開閉蓋の第１の実施形態を模式的に平面で示した説明図である。（Ｂ）図１（Ａ）のＸＸ断面を透視した説明図である。
【図２】（Ａ）本発明の開閉蓋の第１の実施形態を取り付けた包装容器の包装体を模式的に側面で示した説明図である。（Ｂ）図２（Ａ）の丸で囲んだ部分Ｙの拡大図である。
【図３】本発明の開閉蓋の第２の実施形態を模式的に平面で示した説明図である。
【図４】本発明の開閉蓋の第２の実施形態で閉じた状態を模式的に平面で示した説明図である。
【発明を実施するための形態】
【００１８】
＜第１の実施形態＞
以下、本発明を実施するための第１の実施形態につき説明する。
図１（Ａ）は、本発明の開閉蓋の第１の実施形態を模式的に平面で示した説明図、（Ｂ）は、図１（Ａ）のＸＸ断面を透視した説明図、図２（Ａ）は、本発明の開閉蓋の第１の実施形態を取り付けた包装容器の包装体を模式的に側面で示した説明図、（Ｂ）は、図２（Ａ）の丸で囲んだ部分Ｙの拡大図である。
【００１９】
第１の実施形態の開閉蓋１００は、図１（Ａ）、（Ｂ）のように、外蓋１と内蓋２が、ヒンジ３を介して一体に成形されている。ヒンジ３は２箇所に分けて設けられていて、これにより折り曲げ部（折り曲げ位置）がずれることなく安定して折り曲げることができ、また、十分な反発力が得られるようになっている。このような理由から、必要に応じてヒンジ３を、２箇所以上の複数箇所に設けても良い。
【００２０】
外蓋１の側端部にはロック部４が設けられ、ロック部４は、縦断面が湾曲した湾曲部５と、湾曲部５に延設された指掛部６からなっている。また、内蓋２の側端部には、ロック部４を係合するロック受け部７が形成され、ロック受け部７には、係合用突起８が設けられている。
【００２１】
この係合用突起８が湾曲部５に嵌まり込んで係合するようになっている。このため、係合用突起８の形状は、湾曲部５の内側の形状に合わせて、半球ドーム形状などの曲面に形成するのが好ましい。嵌合の強さは、係合用突起８の突出具合によって、調節することができる。
本実施形態では、ロック受け部７が側端部の中央に設けられていて、ロック受け部７から側端部の長手方向に向かって両側２箇所に係合用突起８が設けられている。そして、横長のロック部４の湾曲部５の中央部分に設けられた係合孔９にロック受け部７が入り込んで、係合用突起８が係合孔９の両側の２箇所で湾曲部５に係合するようになっている。
【００２２】
また、外蓋１の（蓋をした状態での）下面の中央部分には、リング状の突起からなるインナーリング１１が垂設される形で形成されている。また、内蓋２の上面の中央部分には、インナーリング１１と嵌合するインナーリング受け部１２が上方に起立する形で形成されている。
【００２３】
そして、蓋をした状態で、インナーリング１１がインナーリング受け部１２に嵌合するようになっている。本実施形態では、インナーリング受け部１２は、２本のリング状の突起からなり、２本のリングの間の溝部にインナーリング１１が入り込んで嵌合するようになっている。
【００２４】
また、インナーリング受け部１２で囲まれた内側には、開口部１３が設けられている。この開口部１３を容器本体としての包装袋１６の取出口に合わせる形で内蓋２の下面を取り付ける。これにより、包装袋１６の取出口から取り出した内容物を開口部１３から取り出すことができるようになる。
【００２５】
内蓋２の外縁部の上面には、上方に起立する形でリング状に内蓋側面壁１４が設けられていて、この内蓋側面壁１４の側端部の位置にロック受け部７が形成されている。また、外蓋１の外縁部の（蓋をした状態での）下面には、下方に垂設される形でリング状に外蓋側面壁１５が設けられていて、この外蓋側面壁１５の側端部の位置にロック部４が形成されている。
【００２６】
開閉蓋１００は、容器本体としての包装袋１６に取り付けて包装容器として使用することができる。図２（Ａ）は、この包装容器に内容物を収納した包装体である。前述のように、容器本体の包装袋１６の一面に設けられた内容物の取出口１７に、開閉蓋１００の開口部１３を合わせて取り付けられている。
【００２７】
そして、包装袋１６には内容物１８が包装され、包装体を形成している。内容物１８は、薬剤、例えばアルコールや保湿剤、洗浄剤などの水溶液が含浸されて濡れている薄紙あるいは不織布の集積体である。
【００２８】
開閉蓋１００の容器本体としての包装袋１６への取り付けは、内蓋２の下面と包装袋１６の一面を、いずれかの面または、両方の面に設けた接着剤（粘着剤を含む）を介して接着して取り付けられている。
【００２９】
粘着剤によって取り付けることによって、内容物１８がなくなったときに、新しい内容物１８の入った包装袋１６に取り替えることができる。但し、この構造の密封性を有意に作用させる為には、開閉蓋１００を包装袋１６に接着するときに、全周で隙間なく接着させることが好ましい。
【００３０】
図２（Ａ）では、開閉蓋１００は、ヒンジ３で折り返されて、包装袋１６に取り付けられた内蓋２に外蓋１が被さっている。このとき、外蓋１のインナーリング１１は、内蓋２のインナーリング受け部１２と嵌合している。
【００３１】
そして、図２（Ｂ）の拡大図のように、ロック部４の湾曲部５の内側に、ロック受け部７の係合用突起８が係合されている。また、湾曲部５の先には上に凸に湾曲した指掛部６が延設されているので、係合用突起８に湾曲部５を係合するには、指掛部６を上から押し下げるようにすると、湾曲部５が開いてその内側に嵌合する形で包み込むように係合用突起８を係合する。そのため、やわらかい感触でロックすることができる。
【００３２】
係合を解除するときは、指掛部６を下からあげるようにすると湾曲部５の湾曲が小さく狭まり、係合用突起８がはずれて、簡単に係合が解除される。このように、変形して係合や解除がされるので、変形しても元に戻る素材で開閉蓋１００を形成する必要がある。
【００３３】
＜第２の実施形態＞
以下本発明を実施するための第２の実施形態につき説明する。
図３は、本発明の開閉蓋の第２の実施形態を模式的に平面で示した説明図、図４は、本発明の開閉蓋の第２の実施形態で閉じた状態を模式的に平面で示した説明図である。
【００３４】
第２の実施形態の開閉蓋２００は、図３のように、外蓋１と内蓋２がヒンジ３を介して一体に成形されている。ヒンジ３は２箇所に分けて設けられていて、これにより折り曲げ部（折り曲げ位置）がずれることなく安定して折り曲げることができ、また、十分な反発力が得られるようになっている。このような理由から、必要に応じてヒンジ３を、２箇所以上の複数箇所に設けても良い。
【００３５】
外蓋１の側端部にはロック部４が設けられ、ロック部４は、開閉蓋１００と同様に、縦断面が湾曲した湾曲部５と、湾曲部５に延設された指掛部６からなっている。また、内蓋２の側端部には、ロック部４を係合するロック受け部７が形成されている。
【００３６】
ロック受け部７には、係合用突起８が設けられ、係合用突起８が湾曲部５に嵌まり込んで係合するようになっている。このため、係合用突起８、８の形状は、湾曲部５の内側の形状に合わせて、半球ドーム形状などの曲面に形成するのが好ましい。嵌合の強さは、係合用突起８の突出具合によって、調節することができる。
【００３７】
第２の実施形態の開閉蓋２００は、開閉蓋１００と異なり、ロック受け部７が２箇所設けられ、それぞれのロック受け部７にそれぞれの係合用突起８が、向かい合うように設けられている。そして、図４のように、ロック部４を２箇所のロック受け部７で挟み込むようにして、係合用突起８が両側の２箇所から湾曲部５に嵌まり込んで係合するようになっている。
【００３８】
また、外蓋１の（蓋をした状態での）下面の中央部分には、リング状の突起からなるインナーリング１１が垂設される形で形成されている。また、内蓋２の上面の中央部分には、インナーリング１１と嵌合するインナーリング受け部１２が上方に起立する形で形成されている。
【００３９】
そして、蓋をした状態で、インナーリング１１がインナーリング受け部１２に嵌合するようになっている。本実施形態では、インナーリング受け部１２は、１本のリング状の突起からなり、インナーリング１１が１本のインナーリング受け部１２の外側に嵌合するようになっている。
【００４０】
また、インナーリング受け部１２で囲まれた内側には、インナーリング受け部１２より離れた位置に開口部１３が設けられている。この開口部１３を容器本体としての包装袋１６の取出口に合わせる形で内蓋２の下面を取り付ける。これにより、包装袋１６の取出口１７から取り出した内容物１８を、開口部１３から取り出すことができるようになる。
【００４１】
外蓋１の外縁部の（蓋をした状態での）下面には、下方に垂設される形でリング状の外蓋側面壁１５が設けられていて、この外蓋側面壁１５の側端部の位置にロック部４が形成されている。内蓋２の外縁部の上面には、側面壁が設けられておらず、内蓋２の上面から側端部へ向けてロック受け部７が形成されている。
【００４２】
開閉蓋２００は、開閉蓋１００の図２（Ａ）と同様に、容器本体としての包装袋１６に取り付けて包装容器として使用することができる。前述のように、容器本体の包装袋１６の一面に設けられた内容物の取出口１７に、開閉蓋２００の開口部１３を合わせて取り付ける。
【００４３】
そして、包装袋１６には内容物１８が包装され、包装体を形成している。内容物１８は、薬剤、例えばアルコールや保湿剤、洗浄剤などの水溶液が含浸されて濡れている薄紙あるいは不織布の集積体である。
【００４４】
開閉蓋２００の容器本体としての包装袋１６への取り付けは、内蓋２の下面と包装袋１６の一面を、いずれかの面または、両方の面に設けた接着剤（粘着剤を含む）を介して接着して取り付けられている。粘着剤によって取り付けることによって、内容物１８がなくなったときに、新しい内容物１８の入った包装袋１６に取り替えることができる。
【００４５】
開閉蓋２００は、ヒンジ３で折り返されて、包装袋１６に取り付けられた内蓋２に外蓋１が被さっている。このとき、外蓋１のインナーリング１１は、内蓋２のインナーリング受け部１２と嵌合している。
【００４６】
そして、ロック部４の湾曲部５の内側に、ロック受け部７の係合用突起８が係合されている。また、湾曲部５の先には上に凸に湾曲した指掛部６が延設されているので、係合用突起８に湾曲部５を係合するには、指掛部６を上から押し下げるようにすると、湾曲部５が開いてその内側に嵌合する形で包み込むように係合用突起８を係合する。そのため、やわらかい感触でロックすることができる。
【００４７】
係合を解除するときは、指掛部６を下からあげるようにすると湾曲部５の湾曲が小さく狭まり、係合用突起８がはずれて、簡単に係合が解除される。このように、変形して係合や解除がされるので、変形しても元に戻る素材で開閉蓋２００を形成する必要がある。
【００４８】
本発明の開閉蓋を形成する素材としては、変形しても元に戻る素材である必要があり、このような素材としては、低密度ポリエチレン、高密度ポリエチレン、あるいは、直鎖状
低密度ポリエチレンなどのポリエチレン類や、ポリプロピレン、または、その他のポリオレフィン樹脂、例えばパッキング性を付与する為に、エチレンプロピレンゴム（ＥＰＲ）等を含有したなどが考えられる。
【００４９】
以上のように、本発明の開閉蓋は、再封後の密封性が高く、蓋の開閉でのロック機構の係合、解除の抵抗が少なく容易に行え、また、係合部分の磨耗が少なく長期に安定した係合が得られる。
【００５０】
この開閉蓋を用いた包装容器は、開閉蓋が前記の特徴を有しているので、容器本体を取り替えて使用しても、係合部分の磨耗が少ないので長期に安定した係合が得られる。また、これを用いた包装体では、内容物の薬剤、例えばアルコールや保湿剤、洗浄剤などの水溶液が含浸されて濡れている薄紙あるいは不織布の集積体が、乾燥することなく、繰り返して開閉しても、長期に使用できる。
【符号の説明】
【００５１】
１００、２００・・・開閉蓋
１・・・外蓋
２・・・内蓋
３・・・ヒンジ
４・・・ロック部
５・・・湾曲部
６・・・指掛部
７・・・ロック受け部
８・・・係合用突起
９・・・係合孔
１１・・・インナーリング
１２・・・インナーリング受け部
１３・・・開口部
１４・・・内蓋側面壁
１５・・・外蓋側面壁
１６・・・包装袋
１７・・・取出口
１８・・・内容物
【図１】
2014114057.tif 000003
【図２】
2014114057.tif 000004
【図３】
2014114057.tif 000005
【図４】
2014114057.tif 000006